(57)【特許請求の範囲】
【請求項１】
１つの記録面に記録された情報データを両面から読み出し可能な光ディスクに対して１つの光ピックアップにより光ディスクの情報データを再生するデータ再生部と、
前記データ再生部が読み出した情報データを信号処理してモニタ装置に表示する信号処理部と、
ユーザの手動操作による指令を入力する入力部と、
前記入力部から入力する指令に基づき装置全体を制御する制御部と、
前記制御部の制御を受けて前記モニタ装置に文字情報を表示する表示制御部とを備え
前記制御部は、
装置に光ディスクがローディングされたときに、前記データ再生部を制御して光ディスクを通常方向に回転させながら光ディスクの最内周から読み出させた情報データを前記信号処理部により信号処理させる第１の制御機能と、
前記第１の制御機能により信号処理された情報データが正常に読み出されたものであるか否かを判別する第２の制御機能と、
前記第２の制御機能において正常に読み出された情報データであると判別した場合、前記入力部から再生の指令が入力したと判別したときに、前記データ再生部を制御して光ディスクを通常方向に回転させながら光ディスクから読み出させた情報データを前記信号処理部により信号処理させて光ディスクを通常再生する第３の制御機能と、
前記第２の制御機能において正常に読み出された情報データでないと判別したときに、前記データ再生部を制御して光ディスクを通常方向とは逆方向に回転させながら光ディスクの最内周から情報データを再度読み出させて、読み出された情報データの各ビットを反転して情報データの信号処理を行うよう前記信号処理部を制御する第４の制御機能と、
前記第４の制御機能により信号処理された情報データが正常に読み出されたものであるか否かを判別する第５の制御機能と、
前記第５の制御機能において正常に読み出された情報データであると判別した場合、前記入力部から再生の指令が入力したと判別したときに、前記データ再生部を制御して光ディスクを通常方向とは逆方向に回転させながら光ディスクから読み出させた情報データをその各ビットを反転して信号処理を行うよう前記信号処理部を制御して光ディスクを再生する第６の制御機能と、
前記第２の制御機能および前記第５の制御機能において共に情報データが正常に読み出されたものでないと判別したときに、前記表示制御部を制御して前記モニタ装置に読み出しエラーが発生した旨を表示させる第７の制御機能とを備えたことを特徴とするディスク再生装置。
【請求項２】
１つの記録面に記録された情報データを両面から読み出し可能な光ディスクに対して１つの光ピックアップにより光ディスクの情報データを再生するディスク再生装置の再生方法であって、
装置に光ディスクがローディングされたときに、光ディスクを通常方向に回転させながら光ディスクの最内周に記録された情報データを読み出す第１のステップと、
前記第１のステップで読み出した情報データが正常に読み出されたものであるか否かを判別する第２のステップと、
前記第２のステップにおいて正常に読み出された情報データであると判別した場合、再生の指令が入力したときに、光ディスクを通常方向に回転させながら光ディスクから読み出した情報データを信号処理して光ディスクを常再生する第３のステップと、
前記第２のステップにおいて正常に読み出された情報データでないと判別した場合、光ディスクを通常方向とは逆方向に回転させながら光ディスクの最内周から情報データを再度読み出して、その読み出した情報データの各ビットを反転して情報データの信号処理を行う第４のステップと、
前記第４のステップで信号処理した情報データが正常に読み出されたものであるか否かを判別する第５のステップと、
前記第５のステップにおいて正常に読み出された情報データであると判別された場合、再生の指令が入力したときに、光ディスクを通常方向とは逆方向に回転させながら光ディスクに記録されている情報データを読み出し、且つその読み出した情報データの各ビットを反転する信号処理を行って光ディスクを再生する第６のステップと、
前記第２のステップおよび前記第５のステップにおいて共に情報データが正常に読み出されたものでないと判別したときに、読み出しエラーが発生した旨を画面表示する第７のステップとを備えたことを特徴とするディスク再生装置の再生方法。
【発明の詳細な説明】
【技術分野】
【０００１】
本発明は、光ディスクに記録された情報データを再生するディスク再生装置及びその再生方法に係り、特に光ディスクの１つの記録面に記録された情報データを光ディスクの両面から再生することができるディスク再生装置及びその再生方法に関する。
【背景技術】
【０００２】
周知のように、光ディスクに記録された情報データは、光ディスクの表面に少しの瑕や汚れがあっても、読み出された情報データの誤りを誤り訂正符号を用いて訂正して情報データを正しく再生することができるようになっている。しかし、光ディスクを長期間使用していると、光ディスクの表面に所定の許容度を越える大きな瑕が付いたり、しみや汚れが取れなくなったりして、光ディスクに記録された情報データの再生が不能になるという問題点があった。
背景技術としては、２つの光ピックアップにより光ディスクの両面に同一内容の情報データを記録し、光ディスクを再生する際、再生ブロックを２つに分割して２つの光ピックアップにより同時に再生し、一方の面に再生不能が生じた場合、他方の面から読み出して再生不能面に書き込んでデータを復帰するようにしたものがあった（例えば、特許文献１参照）。
また、２つの光ピックアップにより光ディスクの両面に同一内容の情報データを記録し、光ディスクを再生する際、光ディスクの表面で読み出しエラーが発生した場合、裏面から情報データを読み出すようにしたものがあった（例えば、特許文献２参照）。
また、両面ディスクの各面が同一である両面ディスクの各面に面識別情報を記録又は再生するようにして、記録面と光ピックアップとの組み合わせを規定するようにしたものがあった（例えば、特許文献３参照）。
【特許文献１】特開平７−２６２７０１号公報
【特許文献２】特開平５−２８４１号公報
【特許文献３】特開平５−１７４３８９号公報
【発明の開示】
【発明が解決しようとする課題】
【０００３】
しかしながら、背景技術で述べたものは、両面に同一内容の情報データが記録された光ディスクを再生する際、再生ブロックを２つに分割して２つの光ピックアップにより同時に再生し、一方の面に再生不能が生じた場合、他方の面から読み出して再生不能面に書き込んでデータを復帰することができたが、両面ディスクの両面に記録された同一内容の情報データを同時に再生するために、２つの光ピックアップが必要であった。
また、次のものにおいては、両面に同一内容の情報データが記録された光ディスクを再生する際、光ディスクの表面で読み出しエラーが発生した場合、裏面から情報データを読み出すことができたが、上記同様、両面ディスクの両面に記録された同一内容の情報データを再生するために、２つの光ピックアップが必要であった。
また、更にその次のものにおいては、両面ディスクの各面が同一である両面ディスクの各面に面識別情報を記録又は再生するようにして、記録面と光ピックアップとの組み合わせを規定することができたが、上記同様、両面ディスクの各面に記録された情報データを再生するために、２つの光ピックアップが必要であった。
本発明は、背景技術の有するこのような問題点に鑑みてなされたものであり、その目的とするところは、１つの光ピックアップにより光ディスクの１つの記録面に記録された情報データを光ディスクの表面、裏面のいずれの面からでも再生することができるディスク再生装置及びその再生方法を提供しようとするものである。
【課題を解決するための手段】
【０００４】
上記目的を達成するため本発明に係るディクス再生装置においては、１つの記録面に記録された情報データを両面から読み出し可能な光ディスクに対して１つの光ピックアップにより光ディスクの情報データを再生するデータ再生部と、前記データ再生部が読み出した情報データを信号処理してモニタ装置に表示する信号処理部と、ユーザの手動操作による指令を入力する入力部と、前記入力部から入力する指令に基づき装置全体を制御する制御部と、前記制御部の制御を受けて前記モニタ装置に文字情報を表示する表示制御部とを備え前記制御部は、装置に光ディスクがローディングされたときに、前記データ再生部を制御して光ディスクを通常方向に回転させながら光ディスクの最内周から読み出させた情報データを前記信号処理部により信号処理させる第１の制御機能と、前記第１の制御機能により信号処理された情報データが正常に読み出されたものであるか否かを判別する第２の制御機能と、前記第２の制御機能において正常に読み出された情報データであると判別した場合、前記入力部から再生の指令が入力したと判別したときに、前記データ再生部を制御して光ディスクを通常方向に回転させながら光ディスクから読み出させた情報データを前記信号処理部により信号処理させて光ディスクを通常再生する第３の制御機能と、前記第２の制御機能において正常に読み出された情報データでないと判別したときに、前記データ再生部を制御して光ディスクを通常方向とは逆方向に回転させながら光ディスクの最内周から情報データを再度読み出させて、読み出された情報データの各ビットを反転して情報データの信号処理を行うよう前記信号処理部を制御する第４の制御機能と、前記第４の制御機能により信号処理された情報データが正常に読み出されたものであるか否かを判別する第５の制御機能と、前記第５の制御機能において正常に読み出された情報データであると判別した場合、前記入力部から再生の指令が入力したと判別したときに、前記データ再生部を制御して光ディスクを通常方向とは逆方向に回転させながら光ディスクから読み出させた情報データをその各ビットを反転して信号処理を行うよう前記信号処理部を制御して光ディスクを再生する第６の制御機能と、前記第２の制御機能および前記第５の制御機能において共に情報データが正常に読み出されたものでないと判別したときに、前記表示制御部を制御して前記モニタ装置に読み出しエラーが発生した旨を表示させる第７の制御機能とを備える。
また、本発明に係るディスク再生装置の再生方法は、１つの記録面に記録された情報データを両面から読み出し可能な光ディスクに対して１つの光ピックアップにより光ディスクの情報データを再生するディスク再生装置の再生方法であって、装置に光ディスクがローディングされたときに、光ディスクを通常方向に回転させながら光ディスクの最内周に記録された情報データを読み出す第１のステップと、前記第１のステップで読み出した情報データが正常に読み出されたものであるか否かを判別する第２のステップと、前記第２のステップにおいて正常に読み出された情報データであると判別した場合、再生の指令が入力したときに、光ディスクを通常方向に回転させながら光ディスクから読み出した情報データを信号処理して光ディスクを常再生する第３のステップと、前記第２のステップにおいて正常に読み出された情報データでないと判別した場合、光ディスクを通常方向とは逆方向に回転させながら光ディスクの最内周から情報データを再度読み出して、その読み出した情報データの各ビットを反転して情報データの信号処理を行う第４のステップと、前記第４のステップで信号処理した情報データが正常に読み出されたものであるか否かを判別する第５のステップと、前記第５のステップにおいて正常に読み出された情報データであると判別された場合、再生の指令が入力したときに、光ディスクを通常方向とは逆方向に回転させながら光ディスクに記録されている情報データを読み出し、且つその読み出した情報データの各ビットを反転する信号処理を行って光ディスクを再生する第６のステップと、前記第２のステップおよび前記第５のステップにおいて共に情報データが正常に読み出されたものでないと判別したときに、読み出しエラーが発生した旨を画面表示する第７のステップとを備える。
【発明の効果】
【０００５】
本発明に係るディスク再生装置およびこれの再生方法によれば、装置に光ディスクがローディングされたときに、光ディスクを通常方向に回転させながら光ディスクの最内周に記録された情報データを読み出し、その情報データが正常に読み出されたものであるか否かを判別して、正常に読み出された情報データあると判別した場合、光ディスクの再生の指令が入力したときに、光ディスクを通常方向に回転させて光ディスクを通常再生し、一方、正常に読み出された情報データでないと判別した場合、光ディスクを通常方向とは逆方向に回転させて光ディスクの最内周に記録された情報データを再度読み出し、その情報データの各ビットを反転させる信号処理を行って、その情報データが正常に読み出されたものであるか否かを判別して、正常に読み出された情報であると判別された場合、光ディスクの再生の指令が入力したときに、光ディスクを通常方向とは逆方向に回転させながら光ディスクに記録されている情報データを読み出し、且つその読み出した情報データの各ビットを反転する信号処理を行って光ディスクを再生し、光ディスクを通常方向および通常方向とは逆方向にそれぞれ回転させながら光ディスクの最内周から読み出した情報データが共に正常に読み出されたものでないと判別したときに、読み出しエラーが発生した旨を画面表示するようにしているので、光ディスクの１つの記録面に記録された情報データを光ディスクの表面および裏面のいずれの面からでも再生することができ、光ディスクの表面に所定の許容度を超える大きな瑕が付いたり、しみや汚れが取れなくなったりして、光ディスクに記録された情報データが一方の面から再生不能となっても他方の面から再生することができるので、光ディスクの寿命が長くなる。また、光ディスクの両面の最内周に記録された情報データが共に正常に読み出せない場合、すなわち、所定の許容度を超えた瑕や汚れにより情報データの誤り訂正が不能な場合には、光ディスクの読み出しエラーが発生した旨をモニタ装置に画面表示してユーザに報知することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置の光ディスクの記録面を模式的に示す断面図であり、図３は本発明の一実施例のディスク再生装置の光ディスクのトラックを模式的に示す図であり、図４は本発明の一実施例のディスク再生装置の動作を示すフローチャートである。
まず、図１の本発明の一実施例のディスク再生装置の構成を示すブロック図を基に説明する。
ディスク再生装置１は、光ディスク２に記録された情報データを光学的に読み出す光ピックアップ３と、光ディスク２を回転させるスピンドルモータ４と、スピンドルモータ４を駆動し、光ピックアップ３を光ディスク２の半径方向に移動させるスレッドモータ（図示せず）を駆動して、光ピックアップ３のフォーカスとトラッキングとを制御するサーボ回路５と、光ピックアップ３により読み出された情報データを基準クロックに基づいて同期検出し、アナログ信号の情報データをデジタル信号の情報データに変換する同期検出／ＡＤ変換回路６と、デジタル信号に変換された情報データを復調し、復調された情報データの誤りを訂正する復調／誤り訂正回路７と、所定の圧縮方式に基づいて圧縮された情報データを伸張して元の情報データを復号するデコーダ８と、復号された情報データの映像音声信号を所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化し、符号化された映像音声信号をアナログ信号の映像音声信号に変換するエンコーダ／ＤＡ変換回路９と、文字情報信号を映像信号に重畳して、文字情報をモニタ装置３０に表示するＯＳＤ（Ｏｎ−Ｓｃｒｅｅｎ  Ｃｈａｒａｃｔｅｒ  Ｄｉｓｐｌａｙ）回路１０と、ディスク再生装置１のシステム全体を制御するマイコン１１と、リモコン装置２０から送信された赤外線信号のリモコン信号を受信して、所定の電気信号に変換するリモコン受信部１２とで構成されている。なお、光ディスク２は、スタンパを用いて製造されたＤＶＤ−ＲＯＭ（Ｄｉｇｉｔａｌ  Ｖｅｒｓａｔｉｌｅ  Ｄｉｓｃ−Ｒｅａｄ  Ｏｎｌｙ  Ｍｅｍｏｒｙ）ディスク、ＣＤ−ＲＯＭ（Ｃｏｍｐａｃｔ  Ｄｉｓｃ−Ｒｅａｄ  Ｏｎｌｙ  Ｍｅｍｏｒｙ）ディスクであり、図２に示すように、光ディスク２の表面２ａ側から記録面２ｃに記録された情報データを読み出すことができるとともに、光ディスク２の裏面２ｂにラベル等の印刷が施されていないので、光ディスク２の裏面２ｂ側からも記録面２ｃに記録された情報データを読み出すことができるようになっている。
以上のように構成されたディスク再生装置について、以下その動作について説明する。
光ディスク２がディスク再生装置１にローディングされると、マイコン１１は、サーボ回路５に制御信号を送出して、ディスク再生装置１にローディングされた光ディスク２を通常方向、即ち、光ピックアップ３側から見て時計方向に回転させ、光ピックアップ３により光ディスク２の最内周に記録された情報データを読み出して、同期検出／ＡＤ変換回路６、復調／誤り訂正回路、デコーダ８により情報データの信号処理を行い、光ディスク２の最内周に記録された情報データが正常に読み出されたか否かを判別する。光ディスク２の最内周に記録された情報データが正常に読み出された場合、マイコン１１は、ディスク再生装置１にローディングされた光ディスク２の表面２ａが光ピックアップ３側になっていて（図２参照）、光ピックアップ３により光ディスク２の記録面２ｃに記録された情報データがディスク２の表面２ａ側から読み出されたと判断する。この場合、光ディスク２の表面２ａが光ピックアップ３側になっているので、光ディスク２の再生時、光ディスク２を通常方向に回転させて、サーボ回路５に制御信号を送出して、光ピックアップ３をトラッキングサーボ制御とフォーカシングサーボ制御し、光ピックアップ３を光ディスク２の半径方向にスレッド移動させて、光ディスク２のトラックＴ１に追従させて（図３（ａ）参照）、光ディスク２に記録された情報データを通常再生する。
また、光ディスク２を通常方向、即ち、光ピックアップ３側から見て時計方向に回転させて、光ディスク２の最内周に記録された情報データが正常に読み出されない場合、マイコン１１は、ディスク再生装置１にローディングされた光ディスク２の裏面２ｂが光ピックアップ３側になっていて、光ディスク２の記録面に記録された情報データのピットの凹凸が表と裏とで反転しているので（図２参照）、情報データの各ビットが１と０とが反転して読み出され、光ピックアップ３により光ディスク２の記録面２ｃに記録された情報データが正常に読み出されなかったと判断して、サーボ回路５に制御信号を送出して、光ディスク２を通常方向の逆方向、即ち、光ピックアップ３側から見て反時計方向に回転させ、光ピックアップ３により光ディスク２の最内周に記録された情報データを再度読み出し、同期検出／ＡＤ変換回路６、復調／誤り訂正回路、デコーダ８により情報データの各ビットを反転して情報データの信号処理を行って、光ディスク２の最内周に記録された情報データが正常に読み出されたか否かを判断する。光ディスクの最内周に記録された情報データが正常に読み出さた場合、マイコン１１は、ディスク再生装置１にローディングされた光ディスク２の裏面２ｂが光ピックアップ３側になっていて、光ピックアップ３により光ディスク２の記録面２ｃに記録された情報データをディスク２の裏面２ｂ側から読み出されたと判断する。
光ディスク２の表面２ａ側から光ピックアップ３により読み出される情報データが、例えば、１０１１００１０…である場合、その情報データを光ディスク２の裏面２ｂ側から光ピックアップ３により同じ情報データを読み出すと、光ディスク２の記録面に記録された情報データのピットの凹凸が表と裏とで反転しているので、情報データの各ビットが反転した０１００１１０１…と読み出される。また、光ディスク２のトラックＴ１は、光ディスク２の表面２ａ側から見た場合、図３（ａ）に示すように、光ディスク２の内周から外周に向かって反時計回りのスパイラル状になっているが、それを光ディスク２の裏面２ｂ側から見た場合、図３（ｂ）に示すように、光ディスク２の内周から外周に向かって時計周りのスパイラル状のトラックＴ２（トラックＴ１の裏面）となる。
光ディスク２の裏面２ｂが光ピックアップ３側になっている場合、光ディスク２の再生時、光ディスク２を通常方向の逆方向、即ち、光ピックアップ３側から見て反時計方向に回転させて、サーボ回路５に制御信号を送出して、光ピックアップ３をトラッキングサーボ制御とフォーカシングサーボ制御し、光ピックアップ３を光ディスク２の半径方向にスレッド移動させて、光ディスク２のトラックＴ２に追従させて（図３（ｂ）参照）、光ディスク２に記録された情報データの各ビットを反転して光ディスクを再生する。
また、光ディスク２の最内周に記録された情報データが正常に読み出せない場合、即ち、所定の許容度を越えたキズや汚れなどにより情報データの誤り訂正が不能な場合、マイコン１１は、文字情報信号と制御信号とをＯＳＤ回路１０に送出して、モニタ装置３０の画面に光ディスク２の読み出しエラーが発生した旨表示する。
また、図４の本発明の一実施例のディスク再生装置の動作を示すフローチャートを基に説明する。
光ディスクがディスク再生装置にローディングされると、ステップＳ１からステップＳ２に進み、ステップＳ２で、ディスク再生装置にローディングされた光ディスクを通常方向に回転させて、光ディスクの最内周に記録された情報データが読み出され、ステップＳ３に進む。
ステップＳ３で、光ディスクの最内周に記録された情報データが正常に読み出されたか否かが判断され、光ディスクの最内周に記録された情報データが正常に読み出された場合、ステップＳ４に進み、光ディスクの最内周に記録された情報データが正常に読み出されない場合、ステップＳ６に進む。
ステップＳ４で、リモコン装置のキー操作等により光ディスクの再生が指令されたか否かが判断され、光ディスクの再生が指令された場合、ステップＳ５に進み、光ディスクの再生が指令されていない場合、ステップＳ１１に進んで処理を終了する。
ステップＳ５で、光ディスクを通常方向に回転させて、光ディスクが通常再生され、ステップＳ１１に進んで処理を終了する。
ステップＳ６で、光ディスクを通常方向の逆方向に回転させて、情報データの各ビットを反転して光ディスクの最内周に記録された情報データが読み出され、ステップＳ７に進む。
ステップＳ７で、光ディスクの最内周に記録された情報データが正常に読み出されたか否かが判断され、光ディスクの最内周に記録された情報データが正常に読み出された場合、ステップＳ８に進み、光ディスクの最内周に記録された情報データが正常に読み出されない場合、ステップＳ１０に進む。
ステップＳ８で、リモコン装置のキー操作等により光ディスクの再生が指令されたか否かが判断され、光ディスクの再生が指令された場合、ステップＳ９に進み、光ディスクの再生が指令されていない場合、ステップＳ１１に進んで処理を終了する。
ステップＳ９で、光ディスクを通常方向の逆方向に回転させて、光ディスクから読み出された情報データのビットを反転して光ディスクが再生され、ステップＳ１１に進んで処理を終了する。
ステップＳ１０で、モニタ装置の画面に光ディスクの読み出しエラーが発生した旨表示され、ステップＳ１１に進んで処理を終了する。
以上、本発明を実施するための最良の形態について詳述したが、本発明はこれに限らず、当業者の通常の知識の範囲内でその変形や改良が可能である。例えば、光ディスクの最内周に記録された情報データを読み出して、光ディスクの表裏を判別することを説明したが、光ディスクの情報記録領域のいずれの位置に記録された情報データを読み出すようにしてもよい。
【図面の簡単な説明】
【０００７】
【図１】本発明の一実施例のディスク再生装置の構成を示すブロック図である。
【図２】本発明の一実施例のディスク再生装置の光ディスクの記録面を模式的に示す断面図である。
【図３】本発明の一実施例のディスク再生装置の光ディスクのトラックを模式的に示す図である。
【図４】本発明の一実施例のディスク再生装置の動作を示すフローチャートである。
【符号の説明】
【０００８】
１  ディスク再生装置
２  光ディスク
３  光ピックアップ
４  スピンドルモータ
５  サーボ回路
６  同期検出／ＡＤ変換回路
７  復調／誤り訂正回路
８  デコーダ
９  エンコーダ／ＤＡ変換回路
１０  ＯＳＤ回路
１１  マイコン
１２  リモコン受信部
２０  リモコン装置
３０  モニタ装置
【図１】
0004305284.tif 000002
【図２】
0004305284.tif 000003
【図３】
0004305284.tif 000004
【図４】
0004305284.tif 000005